(57)【要約】画像信号と同期信号が合成されている映像信号の状態を判定する映像信号判定回路において、映像信号を、カットオフ周波数が調整可能なＬＰＦによってフィルタリングした後、同期信号を分離するようにして、パルス状の同期検出信号を得る。その同期検出信号に基づいて形成された検出信号と調整可能な判定基準値とを比較し、映像信号の判定信号として出力する。これにより、その映像信号の入力の有無及び劣化の程度を判定するとともに、その判定基準を調整可能にする。【特許請求の範囲】
【請求項１】
画像信号と同期信号とが合成されている映像信号の状態を検出する映像信号判定回路において、
入力された前記映像信号を、カットオフ周波数が第１制御信号により調整可能な低域通過フィルタによってフィルタリングし、そのフィルタリングされた映像信号から前記同期信号を分離するように動作して、パルス状の同期検出信号を出力する同期分離部と、
前記同期検出信号に基づいて形成された検出信号と、第２制御信号により調整可能な判定基準値とを比較し、その比較結果を映像信号の判定信号として出力する、映像信号判別部とを有することを特徴とする、映像信号判定回路。
【請求項２】
さらに、外部からの指令信号を受け、前記カットオフ周波数及び前記判定基準値を調整するための前記第１制御信号及び前記第２制御信号を出力するロジック回路部を有することを特徴とする、請求項１に記載の映像信号判定回路。
【請求項３】
前記第１制御信号及び前記第２制御信号は、シリアルデータ形式であることを特徴とする、請求項２に記載の映像信号判定回路。
【請求項４】
前記同期分離部は、
抵抗値が調整可能な抵抗とキャパシタを有し、前記第１制御信号によって前記抵抗の抵抗値を変更してカットオフ周波数が調整される低域通過フィルタと、
該低域通過フィルタでフィルタリングされた映像信号から前記同期信号を分離するように動作して、パルス状の同期検出信号を出力する同期分離回路と、を備えることを特徴とする、請求項１または２に記載の映像信号判定回路。
【請求項５】
前記映像信号判定部は、
前記同期検出信号によって単安定動作して、前記同期検出信号の周期に応じてパルス幅が調整されたモノマルチ出力信号を出力するとともに、前記同期検出信号が所定時間に亘って入力されないときに前記モノマルチ出力信号を停止する、モノマルチ回路と、
前記モノマルチ出力信号を平滑して前記検出信号として出力する平滑回路と、
前記検出信号と前記第２制御信号により調整された第１判定基準値とを比較する第１比較器を有し、この第１比較器での比較結果に基づいて前記判定信号を出力する検出判定比較回路と、を備えることを特徴とする、請求項１または２に記載の映像信号判定回路。
【請求項６】
前記モノマルチ回路は、
充電用抵抗を介して充電されるキャパシタと、該キャパシタに並列に接続され、前記同期検出信号にしたがってオンされるスイッチ素子と、
前記キャパシタの電圧が所定値を越えるときに前記モノマルチ出力信号を発生する比較器と、
前記同期検出信号が所定時間に亘って入力されないときに前記モノマルチ出力信号を停止する時限制御回路と、を備えることを特徴とする、請求項５に記載の映像信号判定回路。
【請求項７】
前記検出判定比較回路は、
さらに、前記第１判定基準値よりも高い第２判定基準値と前記検出信号とを比較する第２比較器を有し、
前記検出信号が、前記第１判定基準値を越えて且つ前記第２判定基準値に達しないときに、前記判定信号を出力することを特徴とする、請求項５に記載の映像信号判定回路。
【請求項８】
前記ロジック回路部と、前記同期分離部及び前記映像信号判定部のうち少なくとも前記第１、第２制御信号により調整される回路部とは、半導体集積回路に作り込まれていることを特徴とする、請求項２に記載の映像信号判定回路。
【発明の詳細な説明】
【技術分野】    本発明は、画像信号と同期信号が合成されている映像信号中の同期信号を検出することによって、その映像信号の有無を判定する映像信号判定回路に関する。
【背景技術】    ＶＴＲ、ＤＶＤなどの映像再生機では、画像信号と同期信号が合成されている映像信号が入力され、その画像信号を再生してモニタに画面表示する。
入力される映像信号が無くなると、画面表示が所謂砂嵐状態になり、非常に見づらくなる。また、入力される映像信号が劣化し、弱くなると、ノイズ成分が相対的に大きくなり、やはり画面表示が同様に砂嵐状態になり、非常に見づらくなる。
従来から、このような見づらい画面表示状態を避けるために、入力される映像信号がなくなったときに、モニタ画面全体を所定の輝度を有する青色一色の画面、即ちブルーバック画面に切り替えることが行われている。
このブルーバック画面への切り替えを行うために、外部より入力される映像信号に含まれる同期信号を検出して、映像信号の有無を検出する同期信号検出回路を設ける。この同期信号検出回路の検出結果に応じて、画面表示をブルーバック表示に切り替えることが行われている（特開平５−２２７４８３号公報：以下、特許文献１）。
従来の特許文献１のものは、同期信号検出回路によって映像信号の有無を検出している。しかし、映像信号が入力されていても、その映像信号が劣化しているときには、その状態を判別して、ブルーバック表示に切り替えることが望まれる。また、その劣化状態であると判別すべき基準は、入力される映像信号の種類（例えば、複合信号、色差信号）や、入力される映像信号を形成するビデオチューナーに応じて異なる。従来の特許文献１のものでは、そのような要望に応えることができないという問題があった。
そこで、本発明は、画像信号と同期信号が合成されている映像信号の状態を判定する映像信号判定回路において、その映像信号の入力の有無及び劣化の程度を判定するとともに、その判定基準を調整可能にすることを目的とする。
【発明の開示】
本発明の映像信号判定回路は、画像信号と同期信号とが合成されている映像信号の状態を検出する映像信号判定回路において、
入力されたその映像信号ＶＩＤを、カットオフ周波数が第１制御信号により調整可能な低域通過フィルタ１０によってフィルタリングし、そのフィルタリングされた映像信号ＶＩＤｆからその同期信号を分離するように動作して、パルス状の同期検出信号Ｓｈを出力する同期分離部２００と、
その同期検出信号Ｓｈに基づいて形成された検出信号Ｖｄｅｔと、第２制御信号により調整可能な判定基準値とを比較し、その比較結果を映像信号の判定信号ＤＥＴとして出力する映像信号判別部３００と、を有する。
さらに、外部からの指令信号Ｓｃｏｎｔを受け、そのカットオフ周波数及びその判定基準値を調整するためのその第１制御信号及びその第２制御信号を出力するロジック回路部６０を有する。
また、その第１制御信号及びその第２制御信号は、シリアルデータ形式である。
また、その同期分離部２００は、
抵抗値が調整可能な抵抗とキャパシタを有し、その第１制御信号によってその抵抗の抵抗値を変更してカットオフ周波数が調整される低域通過フィルタ１０と、
該低域通過フィルタ１０でフィルタリングされた映像信号ＶＩＤｆからその同期信号を分離するように動作して、パルス状の同期検出信号Ｓｈを出力する同期分離回路２０と、を備える。
また、その映像信号判定部３００は、
その同期検出信号Ｓｈによって単安定動作して、その同期検出信号Ｓｈの周期に応じてパルス幅が調整されたモノマルチ出力信号Ｖｍを出力するとともに、その同期検出信号Ｓｈが所定時間Ｔｏｆｆ＋Ｔｍに亘って入力されないときにそのモノマルチ出力信号Ｖｍを停止する、モノマルチ回路３０と、
そのモノマルチ出力信号Ｖｍを平滑してその検出信号Ｖｄｅｔとして出力する平滑回路４０と、
その検出信号Ｖｄｅｔとその第２制御信号により調整された第１判定基準値Ｖｒｅｆｌとを比較する第１比較器５１を有し、この第１比較器５１での比較結果に基づいてその判定信号ＤＥＴを出力する検出判定比較回路５０と、を備える。
また、そのモノマルチ回路３０は、
充電用抵抗３１を介して充電されるキャパシタ３２と、該キャパシタに並列に接続され、その同期検出信号Ｓｈにしたがってオンされるスイッチ素子３３と、
そのキャパシタの電圧が所定値を越えるときにそのモノマルチ出力信号Ｖｍを発生する比較器３４と、
その同期検出信号Ｓｈが所定時間Ｔｏｆｆ＋Ｔｍに亘って入力されないときにそのモノマルチ出力信号Ｖｍを停止する時限制御回路と、を備える。
また、その検出判定比較回路５０はさらに、
その第１判定基準値Ｖｒｅｆｌよりも高い第２判定基準値Ｖｒｅｆｈとその検出信号Ｖｄｅｔとを比較する第２比較器５３を有し、
その検出信号Ｖｄｅｔが、その第１判定基準値Ｖｒｅｆｌを越えて且つその第２判定基準値Ｖｒｅｆｈに達しないときに、その判定信号ＤＥＴを出力する。
また、そのロジック回路部６０と、その同期分離部及びその映像信号判定部のうち少なくともその第１、第２制御信号により調整される回路部とは、半導体集積回路に作り込まれている。
本発明によれば、映像信号判定回路を半導体集積回路に作り込んだ後に、同期分離部のローパスフィルタのカットオフ周波数と映像信号判別部の検出判定比較回路の判定基準値とを、外部からの制御信号によって個々に調整する。これにより、画像信号と同期信号が合成されている映像信号の種類（例えば、複合信号、色差信号）や、その映像信号を形成したビデオチューナーに対応して、映像信号の有無及び劣化の程度の判定を、柔軟に行える。よって、表示画面に対するブルーバック処理などを、適切に行うことができる。
また、ローパスフィルタのカットオフ周波数を外部からの制御信号によって調整するから、入力されてくる映像信号毎に外付け部品の合わせ込みや変更を行わなくてよく、各種の映像信号に対する自由度が向上する。
また、入力されてくる映像信号のノイズの大きさや周波数によっては平滑化後の検出信号（検出電圧）がふらつくことがあるが、検出判定比較回路の判定基準値を適切に調整することで、判定動作の安定化が可能である。
【図面の簡単な説明】
【図１】本発明の実施例に係る映像信号判定回路の全体構成を示す図
【図２】図１のモノマルチ回路の構成を示す図
【図３】図１の平滑回路及び検出判定比較回路の構成を示す図
【図４】同期検出信号Ｓｈに対するモノマルチ出力信号Ｖｍの例を示す図
【図５】同期検出信号Ｓｈに対するモノマルチ出力信号Ｖｍの他の例を示す図
【図６】同期検出信号Ｓｈに対するモノマルチ出力信号Ｖｍのさらに他の例を示す図
【図７】ノイズと検出電圧との特性を示す図
【発明を実施するための最良の形態】    以下、本発明の映像信号判定回路の実施例について、図を参照して説明する。図１は、本発明の実施例に係る映像信号判定回路の全体構成を示す図である。図２は、映像信号判定回路のモノマルチ回路の構成を示す図である。図３は、映像信号判定回路の平滑回路及び検出判定比較回路の構成を示す図である。
図１の映像信号判定回路は、半導体集積回路（以下、ＩＣ）１００に作り込まれている。ただ、大きなキャパシタンスを持つキャパシタや、他の一部の部品を外付けにしてもよい。
ＩＣ１００に入力される映像信号（ビデオ信号）ＶＩＤは、画像信号に同期信号が重畳されて合成されている。この映像信号ＶＩＤは、例えばＶＴＲ、ＤＶＤ−Ｒ等の映像再生機から供給される。そして、その同期信号は、周知のように、或る基準レベルに対して画像信号と正負が逆に形成されている。
映像信号ＶＩＤには、例えば、複合信号、色差信号等異なる種類の映像信号や、再生するビデオチューナーに応じて異なる特性の映像信号が存在する。その故に、映像信号判定回路は、これらの入力される種々の映像信号に対応して、その映像信号の状態（例、劣化の状態等）を適切に判定できることが望まれる。
低域通過フィルタ（以下、ＬＰＦ）１０は、所定のカットオフ周波数ｆｃｕｔを有しており、映像信号ＶＩＤの高周波成分を阻止（または減衰）し、低域成分を通過させる。そのカットオフ周波数ｆｃｕｔはロジック回路６０から供給される第１制御信号によって調整される。ＬＰＦ１０は、ＩＣに作り込まれることを考慮して、制御信号に応じて抵抗値が変更される可変抵抗１１と、キャパシタ１２とから構成される。
同期分離回路２０は、ＬＰＦ１０でフィルタリングされた映像信号ＶＩＤｆが入力され、その映像信号ＶＩＤｆに含まれている同期信号を、例えばその振幅レベルを利用して分離するように動作する。そして、同期分離回路２０からはパルス状の同期検出信号Ｓｈを出力する。
このパルス状の同期検出信号Ｓｈには、映像信号ＶＩＤに含まれている本来の同期信号の他に、ノイズパルスも含まれることがある。このノイズパルスは、映像信号ＶＩＤに含まれていたノイズが、同期信号として検出されたものである。例えば、映像信号ＶＩＤが、弱い状態（弱電界）で受信した放送電波を再生した映像信号である場合等には、しばしばこのような状態が発生する。このようにノイズパルスも含まれる場合には、同期検出信号Ｓｈのパルス間隔（パルス周期）は、本来の同期信号のパルス間隔より短くなる。
また、映像信号ＶＩＤに含まれる同期信号に、ノイズが同期信号と逆位相で重畳したような特殊な場合もある。その場合には、ノイズの重畳された同期信号が消滅し、あたかも同期信号の周期が長くなったような状態を示す。したがって、この場合には、同期検出信号Ｓｈのパルス間隔は、本来の同期信号のパルス間隔より長くなることになる。
また、映像信号ＶＩＤがＬＰＦ１０に入力されない場合や、映像信号ＶＩＤのレベルがかなり小さい場合には、同期検出信号Ｓｈが所定時間以上に亘って同期分離回路２０から出力されないことになる。このように、同期検出信号Ｓｈは、パルス間隔が短くなる状態、パルス間隔が長くなる状態、パルスが発生されない状態が、あり得る。
このＬＰＦ１０と同期分離回路２０とから構成される同期分離部２００から、このような種々の状態を取り得る同期検出信号Ｓｈが出力される。この同期検出信号Ｓｈの状態を映像信号判定部３００で判定して、ブルーバック処理などを行うための判定信号ＤＥＴを発生する。映像信号判定部３００は、モノマルチ回路３０と、平滑回路４０と、検出判定比較回路５０を含んで構成される。
図２に、映像信号判定部３００のモノマルチ回路３０の構成例が示されている。モノマルチ回路３０は、電源電圧Ｖｄｄとグランド間に充電用の抵抗３１と、充放電されるキャパシタ３２とが直列に接続されている。抵抗３１とキャパシタ３２との接続点をスイッチ３３を介してグランドに接続する。このスイッチ３３は、同期分離回路２０から供給される同期検出信号Ｓｈの発生に応じてオンする。
この例では、スイッチ３３は、ＮＭＯＳトランジスタで構成しており、このためインバータ３６を介して、同期検出信号Ｓｈがゲートに供給されている。勿論、スイッチ３３として、バイポーラトランジスタなど他のスイッチ素子を用いてもよい。また、インバータ３６は、同期検出信号Ｓｈが立ち下がりパルスとして供給されることを想定して設けられている。逆に、同期検出信号Ｓｈが立ち上がりパルスで供給される場合には、インバータ３６は、省略される。
キャパシタ３２の充電電圧Ｖｃは、キャパシタ３２が充電されるにつれて上昇し、スイッチ３３がオンすると零電圧に低下する。この充電電圧Ｖｃが、比較器３４でモノマルチ用の基準電圧Ｖｒｅｆｍと比較される。充電電圧Ｖｃが、零電圧から単安定時間Ｔｍ経過して基準電圧Ｖｒｅｆｍを超えたときに、比較器３４から比較出力が発生される。この比較出力が時限制御回路３５を経て、モノマルチ出力信号Ｖｍとして平滑回路４０へ出力される。
時限制御回路３５は、比較器３４の比較出力が発生すると同時に、モノマルチ出力信号Ｖｍを発生し、且つ、比較器３４の比較出力が確認時間Ｔｏｆｆを超えて継続して発生されるときに、モノマルチ出力信号Ｖｍを停止する。つまり、比較器３４の比較出力が、確認時間Ｔｏｆｆに達しないパルス形状である場合にはそのまま時限制御回路３５を通過してモノマルチ出力信号Ｖｍとなる。しかし、比較器３４の比較出力が確認時間Ｔｏｆｆ以上継続する場合には、確認時間Ｔｏｆｆが経過した時点で、モノマルチ出力信号Ｖｍを停止する。なお、このモノマルチ出力信号Ｖｍの停止状態は、自己保持させるようにしてもよい。
また、この図２の例では、比較器３４の比較出力が確認時間Ｔｏｆｆ以上継続するかどうかでモノマルチ出力信号Ｖｍを停止している。これに代えて、同期検出信号Ｓｈ（あるいはそれに応じた信号）をモニタして、同期検出信号Ｓｈが所定時間Ｔｏｆｆ＋αを超える時間だけ継続して入力されないときに、モノマルチ出力信号Ｖｍを停止するようにしてもよい。なお、αは、単安定時間Ｔｍでよい。
抵抗３１とキャパシタ３２は、ＩＣの外付け部品として、例えばディスクリート部品で形成している。これにより、モノマルチ回路３０の単安定時間を外付けの抵抗３１とキャパシタ３２を交換することで、変更することができる。なお、抵抗３１とキャパシタ３２は、ＩＣ内部に他の回路と一緒に作り込んでもよい。
図３に、映像信号判定部３００の平滑回路４０及び検出判定比較回路５０の構成例が示されている。
平滑回路４０は、２つのインバータ４１，４２を直列に介して平滑用抵抗４３と平滑用キャパシタ４４を有する。この平滑回路４０で、モノマルチ出力信号Ｖｍが平滑されて、直流の検出電圧Ｖｄｅｔを出力する。検出電圧Ｖｄｅｔの値は、モノマルチ出力信号Ｖｍのデューティ比（＝高（Ｈ）レベル期間／（Ｈレベル期間＋低（Ｌ）レベル期間））に比例する。
なお、インバータ４１，４２はそれぞれ、ＰＭＯＳトランジスタとＮＭＯＳトランジスタで構成され、電源電圧Ｖｄｄとグランド間に設けられている。また、平滑用キャパシタ４４は、ＩＣ１００に外付けとされている。なお、平滑用キャパシタ４４は、ＩＣ１００の内部に、他の回路と同様に作り込んでもよい。
検出判定比較回路５０は、第１比較器５１と、第２比較器５３と、これら両比較器５１、５３の出力を入力とするノア回路５５を持っている。
第１比較器５１は、検出電圧Ｖｄｅｔを、第１基準電圧源５２から発生される低い電圧値の第１判定基準値Ｖｒｅｆｌと比較する。そして、第１比較器５１は、検出電圧Ｖｄｅｔが第１判定基準値Ｖｒｅｆｌより高いときにＬレベルの比較出力を発生する。第１判定基準値Ｖｒｅｆｌは、ロジック回路６０から供給される第２制御信号によって調整される。
第２比較器５３は、検出電圧Ｖｄｅｔを、第２基準電圧源５４から発生される高い電圧値の第２判定基準値Ｖｒｅｆｈ（即ち、Ｖｒｅｆｈ＞Ｖｒｅｌ）と比較する。そして、第２比較器５３は、検出電圧Ｖｄｅｔが第２判定基準値Ｖｒｅｆｈより低いときにＬレベルの比較出力を発生する。第２判定基準値Ｖｒｅｆｈは、通常可変する必要がないので予め決定した電圧値でよい。ただ、必要に応じて、ロジック回路６０から供給される制御信号によって調整できるようにしてもよい。
これら第１、第２比較器５１、５３は、検出電圧Ｖｄｅｔの検出動作を安定して行わせるために、それぞれ所定幅のヒステリシス特性を持たせることがよい。
ノア回路５５は、第１、第２比較器５１、５３からの比較出力が共にＬレベルであるときに、Ｈレベルの出力を発生する。それら第１、第２比較器５１、５３からの比較出力のいずれかがＨレベルであるときには、Ｌレベルの出力を発生する。
検出判定比較回路５０のノア回路５５からＬレベルの出力が発生されるとき、映像信号の入力が無しあるいは劣化の程度が著しいことが、判定されたことを表している。一方、検出判定比較回路５０からＨレベルの出力が発生されているときは、許容できる映像信号が供給されていることを示す。検出判定比較回路５０からの判定信号ＤＥＴを、図示しない表示制御回路に供給する。即ち、判定信号ＤＥＴを、表示画面に対するブルーバック処理などに使用する。
図１を再び参照して、ロッジク回路６０が、同期分離部２００及び映像信号判定部３００と共に、ＩＣ１００に設けられている。このロジック回路６０は、指令信号ＳｃｏｎｔをＩＣ１００の外部から受ける。そして、ロジック回路６０は、ＬＰＦ１０にカットオフ周波数ｆｃｕｔを調整するための第１制御信号を供給し、また、検出判定比較回路５０に判定基準値（特に、第１判定基準値Ｖｒｅｆｌ）を調整するための第２制御信号を供給する。
これらの指令信号Ｓｃｏｎｔ及び第１、第２制御信号は、カットオフ周波数ｆｃｕｔや第１判定基準値Ｖｒｅｆｌ等を調整するためのものであるので、特に高速に供給される必要はない。したがって、指令信号Ｓｃｏｎｔ及び第１、第２制御信号は、ＩＣ１００の外部端子や内部配線を少なくするために、シリアルデータで供給されることがよい。
以下、図４〜図７の特性図をも参照して、本発明の動作を説明する。まず、ＬＰＦ１０のカットオフ周波数ｆｃｕｔと、検出判定比較回路５０の第１判定基準値Ｖｒｅｆｌを、想定されるビデオチューナーなどに応じてそれぞれ所定の値に設定する。この設定は、ロジック回路６０からの第１、第２制御信号によって行われる。
ビデオチューナーなどから再生された映像信号ＶＩＤが、ＬＰＦ１０に入力される。この映像信号ＶＩＤの画像信号部分や同期信号部分には、種々の大きさや周波数のノイズ成分が重畳されている。そのノイズ成分の高周波部分は、ＬＰＦ１０により除去あるいは減衰される。そして、同期分離回路２０から、パルス状の同期検出信号Ｓｈが出力される。この同期検出信号Ｓｈにしたがってモノマルチ回路３０が動作し、モノマルチ出力信号Ｖｍを得る。
図４〜図６に、同期検出信号Ｓｈの状態が異なるときの、同期検出信号Ｓｈに対するモノマルチ出力信号Ｖｍの例を示している。
図４は、同期検出信号Ｓｈが映像信号に本来含まれている同期信号のみが含まれている場合（即ち、映像信号ＶＩＤが良好な状態である場合）の例を示している。図４では、本来含まれている同期信号の周期Ｔ１で同期検出信号Ｓｈが発生している。一方、モノマルチ出力信号Ｖｍは同期検出信号Ｓｈの立ち下がりに同期して立ち下がり、モノマルチ回路３０の単安定時間Ｔｍだけ経過した後に立ち上がる。したがって、周期Ｔ１から単安定時間Ｔｍを引いた時間（＝Ｔ１−Ｔｍ）幅のパルス状のモノマルチ出力信号Ｖｍが、出力される。
このモノマルチ出力信号Ｖｍが平滑回路４０で平滑された検出電圧Ｖｄｅｔは、第１判定基準値Ｖｒｅｆｌと第２判定基準値Ｖｒｅｆｈとの間のレベルにあるので、検出判定比較回路５０からは、Ｌレベルの判定信号ＤＥＴは出力されない。つまり、判定信号ＤＥＴはＨレベルにある。
図５は、映像信号ＶＩＤが、弱い状態（弱電界）で受信した放送電波を再生した映像信号である場合（即ち、映像信号ＶＩＤが劣化している場合）等を示している。このような劣化した映像信号が入力される場合には、同期検出信号Ｓｈのパルス間隔は、本来の同期信号のパルス間隔Ｔ１より短くなる。つまり、本来の同期信号の間にノイズパルスが含まれている。
図５の場合には、同期検出信号Ｓｈの立ち下がりでモノマルチ出力信号Ｖｍが零になり、単安定時間Ｔｍが経過する前に同期検出信号Ｓｈが立ち下がり、モノマルチ出力信号Ｖｍは零レベルのままである。あるいは、同期検出信号Ｓｈの立ち下がりでモノマルチ出力信号Ｖｍが零になり、その後、単安定時間Ｔｍが経過してモノマルチ出力信号Ｖｍが立ち上がったとしても、その継続時間が短くなる。
この図５の場合には、検出電圧Ｖｄｅｔは零か、あるいは第１判定基準値Ｖｒｅｆｌよりも低いレベルにとどまる。したがって、検出判定比較回路５０からはＬレベルの判定信号ＤＥＴが出力される。このＬレベルの判定信号ＤＥＴを用いて、表示画面をブルーバックに処理できる。
図６は、映像信号ＶＩＤが、供給されていないか、あるいは映像信号ＶＩＤのレベルがかなり小さい場合を示すもので、同期検出信号Ｓｈが所定時間以上（この例では、Ｔｍ＋Ｔｏｆｆ）に亘って同期分離回路２０から出力されない状態を示している。
この図６では、同期検出信号Ｓｈの立ち下がりでモノマルチ出力信号Ｖｍが零になり、単安定時間Ｔｍが経過して確認時間Ｔｏｆｆ経過したとき、即ち、同期検出信号Ｓｈが立ち下がってから所定時間Ｔｍ＋Ｔｏｆｆ経過した後に、モノマルチ出力信号Ｖｍを零レベルに設定する。
この図６の場合には、モノマルチ出力信号Ｖｍは、確認時間ＴｏｆｆだけはＨレベルにあるが、その後はずっと零レベルにある。したがって、検出電圧Ｖｄｅｔは第１判定基準値Ｖｒｅｆｌよりも低いレベルにとどまる。よって、検出判定比較回路５０からは、やはりＬレベルの判定信号ＤＥＴが出力される。このＬレベルの判定信号を用いて、表示画面をブルーバックに処理できる。
また、図に示していないが、映像信号ＶＩＤに含まれる同期信号に、ノイズが同期信号と逆位相で重畳する特殊な場合もある。この場合には、ノイズが重畳された同期信号が消滅し、あたかも同期信号の周期が長くなったような状態を示す。具体的な例を挙げると、本来の同期信号が１つおきにノイズによってマスクされた場合には、検出電圧Ｖｄｅｔは、例えば通常時の２倍以上に高くなってしまう。
このような特殊な場合にも、対応できるように、本発明では、第２比較器５３を設けている。つまり、第２比較器５３で検出電圧Ｖｄｅｔが第２判定基準値Ｖｒｅｆｈよりも高くなったことを検出した場合にも、検出判定比較回路５０からはＬレベルの判定信号ＤＥＴが出力される。この判定信号を用いて、やはり表示画面をブルーバックに処理できる。
図７は、本発明におけるノイズと検出電圧との特性を示す図である。この図７では、ノイズ−検出電圧の特性と、ＬＰＦ１０のカットオフ周波数ｆｃｕｔや第１比較器５１の第１判定基準値Ｖｒｅｆｌの調整との関係を表している。
図７を参照して、ノイズが小さい場合には、図４で説明したような動作となり、検出電圧Ｖｄｅｔは第２判定基準値Ｖｒｅｆｈと第１判定基準値Ｖｒｅｆｌとの間にある。ノイズが大きい場合には、図５で説明したような動作となり、検出電圧Ｖｄｅｔは第１判定基準値Ｖｒｅｆｌよりも小さくなる。しかし、ノイズが図４と図５で説明した動作の中間程度の場合には、検出電圧Ｖｄｅｔはノイズの大きさによって小さい値から大きい値にある傾きをもって遷移する。
中間程度にあるノイズが少し変化することで、検出電圧Ｖｄｅｔが図７に例示されるように大きく変化することになる。これは、判定信号ＤＥＴが不安定になることを意味しており、その結果、表示画面のブルーバックなどの処理に悪影響を生じさせることにもなる。
本発明では、ＬＰＦ１０のカットオフ周波数ｆｃｕｔと、検出判定比較回路５０の第１判定基準値Ｖｒｅｆｌとをロジック回路６０を用いて、外部からの指令信号Ｓｃｏｎｔによって、個別に調整することができる。
カットオフ周波数ｆｃｕｔを低くすることで、検出電圧Ｖｄｅｔが立ち上がる点をノイズが大きい方向に変更することが出来る。逆に、カットオフ周波数ｆｃｕｔを高くすることで、検出電圧Ｖｄｅｔが立ち上がる点をノイズが小さい方向に変更することが出来る。
また、第１判定基準値Ｖｒｅｆｌの大きさを所定の範囲で調整することで、結果として、判定信号ＤＥＴが出力されるノイズ位置を変更することができる。
したがって、任意のビデオチューナーから映像信号ＶＩＤが入力される場合の調整方法を説明する。例えば、その映像信号が表示されている表示画面を確認しながら、まず、カットオフ周波数ｆｃｕｔをある方向に任意量だけ調整する。次に、第１判定基準値Ｖｒｅｆｌの大きさを或る方向に調整する。次に、カットオフ周波数ｆｃｕｔを或る方向に任意量だけ微調整する。このような方法で、判定信号ＤＥＴが出力されるポイントを調整する。
このように、ＬＰＦ１０をＩＣ１００に内蔵することで外付けのアプリケーション部品を削減できる。また、そのＬＰＦ１０のカットオフ周波数ｆｃｕｔを外部からの制御信号で可変することで、同期分離後の同期検出信号Ｓｈへのノイズ量の調整を簡略化できる。
また、ＬＰＦ１０のカットオフ周波数ｆｃｕｔと検出判定比較回路５０の第１判定基準値Ｖｒｅｆｌとを、ＩＣ１００の製造後に外部信号によって調整できる。これにより、入力される映像信号ＶＩＤへの自由度を著しく高めることができる。
また、入力される映像信号ＶＩＤのノイズの大きさ、周波数によって検出電圧Ｖｄｅｔがふらつく場合には、検出判定比較回路５０の第１判定基準値Ｖｒｅｆｌを変更する。これにより  、判定信号ＤＥＴを安定して検出することが可能になる。
【産業上の利用可能性】    本発明に係る映像信号判定回路は、ＶＴＲ、ＤＶＤなどの映像再生機からの映像信号の有無や状態を、映像信号中の同期信号を検出することによって検知する。そして、モニタ画面の見づらい画面表示状態を避けることができる。
【図１】
2005104538.tif 000002
【図２】
2005104538.tif 000003
【図３】
2005104538.tif 000004
【図４】
2005104538.tif 000005
【図５】
2005104538.tif 000006
【図６】
2005104538.tif 000007
【図７】
2005104538.tif 000008
【国際調査報告】
2005104538.tif 000009
2005104538.tif 000010
2005104538.tif 000011
2005104538.tif 000012